(57)【要約】【課題】エレベータが入館者を認証する個人認証装置と連動して、犯罪者に気付かれることなく犯罪者に対処する時間を確保するエレベータ連動防犯システムを得る。【解決手段】エレベータ連動防犯システムは、建物への来館者が入力する個人認証のための情報を取り込むとともに取り込んだ該情報に基づいて個人認証し該来館者が入館が許可されているときに上記建物の玄関扉を解錠するように指令を発する個人認証装置が備えられた上記建物に設置されたエレベータを制御するエレベータ制御装置と連動して防犯するエレベータ連動防犯システムにおいて、上記個人認証装置は、外部の人には見分けが付かない特殊キーが配設され、上記特殊キーが押下されたとき上記エレベータ制御装置に上記エレベータを防犯対策運転することにより上記建物の玄関階に上記エレベータのかごが配車されるまでに要する時間を遅延するように指令する。【選択図】図４
2010241585.tif 000002
【特許請求の範囲】
【請求項１】
建物への来館者が入力する個人認証のための情報を取り込むとともに取り込んだ該情報に基づいて個人認証し該来館者が入館が許可されているときに上記建物の玄関扉を解錠するように指令を発する個人認証装置が備えられた上記建物に設置されたエレベータを制御するエレベータ制御装置と連動して防犯するエレベータ連動防犯システムにおいて、
上記個人認証装置は、外部の人には見分けが付かない特殊キーが配設され、上記特殊キーが押下されたとき上記エレベータ制御装置に上記エレベータを防犯対策運転することにより上記建物の玄関階に上記エレベータのかごが配車されるまでに要する時間を遅延するように指令することを特徴とするエレベータ連動防犯システム。
【請求項２】
上記防犯対策運転は、上記かごを上記玄関階から最も離れた階床に一旦移動させることを特徴とする請求項１に記載のエレベータ連動防犯システム。
【請求項３】
上記防犯対策運転は、上記かごを階毎またはランダムに選択した階に一時停止しながら移動することを特徴とする請求項１または２に記載のエレベータ連動防犯システム。
【請求項４】
上記防犯対策運転は、上記エレベータを故障中または保守中とすることを特徴とする請求項１に記載のエレベータ連動防犯システム。
【請求項５】
上記防犯対策運転は、上記かごの走行速度を小さくすることを特徴とする請求項１に記載のエレベータ連動防犯システム。
【発明の詳細な説明】
【技術分野】
【０００１】
この発明は、入館者を管理するシステムにエレベータの運転を連動することにより防犯性を高めるエレベータ連動防犯システムに関する。
【背景技術】
【０００２】
従来、マンション等において玄関部に設けられた個人認証装置とエレベータが連動する場合、個人照合がＯＫだった場合、マンションの玄関ドアが解錠されるとともに、エレベータが玄関階に呼ばれ、かごの扉が開かれて待機している（例えば、特許文献１参照）。
また、従来、カード内にカード方向判定情報をあらかじめ記録しておき、カード所持者が犯人に脅迫されて仕方なくカードを操作しなければならないとき、カード所持者はカードを通常と反対方向に操作して、緊急通報をセンターに対して行う（例えば、特許文献２参照）。
【先行技術文献】
【特許文献】
【０００３】
【特許文献１】特開２００５−３２０１５２号公報
【特許文献２】特開平５−１９５６６０号公報
【発明の概要】
【発明が解決しようとする課題】
【０００４】
しかし、特許文献１のエレベータ行先階登録装置では、カード所持者が犯人に脅迫されて仕方なく操作をしたとしてもマンションの玄関ドアが解錠されるとともに、エレベータが玄関階に呼ばれ、かごの扉が開かれて待機しているため、犯罪に対処することができなという問題がある。
また、特許文献２のカードリーダ装置では、センターに緊急通報がされても、短時間の犯罪に対処できない可能性がある。
【０００５】
この発明は、前記のような課題を解決するためになされたものであり、エレベータが入館者を認証する個人認証装置と連動して、犯罪者に気付かれることなく犯罪者に対処する時間を確保するエレベータ連動防犯システムを得ることを目的とする。
【課題を解決するための手段】
【０００６】
この発明に係るエレベータ連動防犯システムは、建物への来館者が入力する個人認証のための情報を取り込むとともに取り込んだ該情報に基づいて個人認証し該来館者が入館が許可されているときに上記建物の玄関扉を解錠するように指令を発する個人認証装置が備えられた上記建物に設置されたエレベータを制御するエレベータ制御装置と連動して防犯するエレベータ連動防犯システムにおいて、上記個人認証装置は、外部の人には見分けが付かない特殊キーが配設され、上記特殊キーが押下されたとき上記エレベータ制御装置に上記エレベータを防犯対策運転することにより上記建物の玄関階に上記エレベータのかごが配車されるまでに要する時間を遅延するように指令する。
【発明の効果】
【０００７】
この発明に係るエレベータ連動防犯システムは、個人認証のための普段通りの操作と見なせる特殊キーの押下を行うことにより、緊急通報とエレベータの防犯対策運転の指令が発せられるが、通常通りに集合住宅玄関扉が解錠され、エレベータも普段とさほど違わない運転が行われるので、犯罪者は緊急通報がされたことやエレベータを利用しづらくなっていることに気づくことがなく、その間に防犯センターの警備員などが犯罪に対処する時間を得ることができるという効果を奏する。
【図面の簡単な説明】
【０００８】
【図１】この発明に係るエレベータ連動防犯システムの全体構成図である。
【図２】この発明に係る個人認証装置の操作パネルの外観図である。
【図３】この発明に係るエレベータ制御装置の機能ブロック図である。
【図４】この発明に係るエレベータ連動防犯システムの動作手順を示すフローチャートである。
【発明を実施するための形態】
【０００９】
図１は、この発明に係るエレベータ連動防犯システムの全体構成図である。図２は、個人認証装置の操作パネルの外観図である。
この発明に係わるエレベータ連動防犯システムは、ビルの玄関において行われる入館者の個人認証に連動して防犯性能を高めるシステムである。なお、この説明において、例としてマンションなどの集合住宅を挙げる。
集合住宅には、居住者および来訪者を所望の階床に輸送するエレベータ２が設置されている。さらに、集合住宅は、集合住宅の玄関階に許可された人だけが入館できるように管理された集合住宅玄関扉３が設置されている。
【００１０】
エレベータ連動防犯システム１は、エレベータ２を制御するエレベータ制御装置４、集合住宅玄関扉３の開閉を制御する扉制御装置５、入館に関する認証を行う個人認証装置６、個人認証装置６から緊急通報を受ける防犯センター７から構成されている。
エレベータ２は、図示しない昇降路内を昇降する乗りカゴ８、各階床の乗場に設けられたエレベータ呼び釦９を有している。
【００１１】
集合住宅へ入館する際、防犯のために登録された居住者だけに渡されているカードを所持する入館者は、入館者認証手段としての個人認証装置６を操作して集合住宅玄関扉３を解錠して入館を果たしている。
個人認証装置６は、入館者が所持するカードを読み取るカードリーダ部６ａ、暗証番号を入力するためのテンキー部６ｂ、テンキー部６ｂに併設されエンターキーのように思わせるテンキーであり且つ押下されると緊急通報信号を発する特殊キー６ｃを有する。
個人認証装置６は、入館者がカードをカードリーダ部６ａにかざすとカード情報を読み取り、次に入館者が暗証番号をテンキー部６ｂから入力すると、カード情報と暗証番号とを用いて入館者を認証する。そして、認証の結果居住者と判断したとき特殊キー６ｃが押下されているか否かを確認する。もし、特殊キー６ｃが押下されていないときには、扉制御装置５に解錠を指令する。
【００１２】
一方、特殊キー６ｃが押下されたときには、入館者が脅迫されて入館手続きを行ったと判断し、緊急通報を防犯センター７に行うとともにエレベータ制御装置４に防犯対策運転を指令する。次に、通常通りに扉制御装置５に解錠を指令する。
【００１３】
エレベータ制御装置４は、図３に示すように、防犯対策運転の指令が入力されていないときには、エレベータ呼び釦９や図示しない行先階登録釦により登録される階床にかご８を運行する通常運行手段１１、防犯対策運転の指令が入力したとき割込みで実行される防犯運行手段１２を有する。
なお、通常運行手段１１は、普通のエレベータの運行であり、詳細な説明は省略する。
防犯運行手段１２は、防犯対策運転の指令により割込みが掛ったら、行先階登録の有無を判断し、行先階登録があるときにはかご内に防犯のための遅延運行を行う旨報知するとともに最上階にかごを走行させる。最上階で乗客を降ろした後、各階床に停車しながらエレベータが動いてはいるが、玄関階に到達するまでの時間を大幅に遅らせる遅延運行を行う。
【００１４】
図４は、この発明に係るエレベータ連動防犯システムの動作手順を示すフローチャートである。
次に、この発明に係るエレベータ連動防犯システムの動作手順について説明する。
ステップＳ１０１では、個人認証装置６が操作されたか否かを判断し、操作された場合ステップＳ１０２に進み、操作されない場合ステップＳ１０１を繰り返す。
ステップＳ１０２では、個人認証装置６のカードリーダ部６ａにかざされたカードの情報を読み取りステップＳ１０３に進む。
ステップＳ１０３では、読み取ったカード情報が登録されているか否かを判断し、登録されている場合ステップＳ１０４に進み、登録されていない場合ステップＳ１０１へ戻る。
【００１５】
ステップＳ１０４では、番号がテンキー部６ｂから入力されたか否かを判断し、入力されている場合ステップＳ１０５に進み、入力されていない場合ステップＳ１０１に戻る。
ステップＳ１０５では、テンキー部６ｂから入力された番号を予めカード情報に対応して記憶されている暗証番号と比較する。
ステップＳ１０６では、入力された番号が暗証番号と合致するか否かを判断し、合致する場合ステップＳ１０７に進み、合致しない場合ステップＳ１０１に戻る。
ステップＳ１０７では、特殊キー６ｃが押下されたか否かを判断し、特殊キーが押下されない場合、ステップＳ１０８に進み、特殊キーが押下された場合、ステップＳ１０９に進む。
【００１６】
ステップＳ１０８では、集合住宅玄関扉３を解錠して新たな入館者を待つ。
ステップＳ１０９では、居住者が脅迫されて入館手続きを進めた可能性があるとして防犯センター７に緊急通報する。
ステップＳ１１０では、エレベータを防犯対策運転に移行してステップＳ１０８に進む。
【００１７】
なお、上述の防犯対策運転では玄関階とは反対の最上階にまでかご８を移動し、それからかご８を階毎にまたはランダムに選んだ階に停車しながら降ろしてくることで玄関階に到達する時間を遅延しているが、エレベータを故障中または保守中としてサービスを停止することにより防犯対策を図っても良い。
また、防犯対策運転ではかご８の走行速度を遅くして玄関階に到達する時間を遅延しても良い。
【００１８】
上述の個人認証装置６では、テンキー部６ｂの他に特殊キー６ｃを配設しているが、テンキー部６ｂの任意のキーを特殊キーに割当てておいても良い。このときは、暗証番号としては使用することを禁則しておく。このようにすると、暗証番号の入力の動作の中で特殊キーを押下することができ、犯罪者に特殊キーを押下したことが気付かれない。
【００１９】
以上のように、この発明に係るエレベータ連動防犯システム１において、個人認証のための普段通りの操作と見なせる特殊キー６ｃの押下が行われ、緊急通報しても通常通りに集合住宅玄関扉３が解錠され、エレベータも普段通りにサービスされているので、犯罪者は緊急通報がされたことやエレベータを利用しづらくなっていることに気づくことがなく、その間に防犯センター７の警備員などが犯罪に対処する時間を得ることができる。
尚、上述の個人認証装置６ではカードリーダーとしたが、非接触キーリーダーまたはバイオメトリックス式個人認証装置でも良い。
【符号の説明】
【００２０】
１  エレベータ連動防犯システム、２  エレベータ、３  集合住宅玄関扉、４  エレベータ制御装置、５  扉制御装置、６  個人認証装置、６ａ  カードリーダ部、６ｂ  テンキー部、６ｃ  特殊キー、７  防犯センター、８  （エレベータの）カゴ、９  エレベータ呼び釦、１１  通常運行手段、１２  防犯運行手段。
【図１】
2010241585.tif 000003
【図２】
2010241585.tif 000004
【図３】
2010241585.tif 000005
【図４】
2010241585.tif 000006